(57)【特許請求の範囲】
【請求項１】
判定対象となる原稿にマイクロ波を照射し，前記照射したマイクロ波の透過波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，
前記原稿に対してマイクロ波を出力して，前記原稿にマイクロ波を照射するマイクロ波出力手段と，
前記特殊原稿判定装置の近傍に人間が存在するか否かを判定し，前記特殊原稿判定装置の近傍に人間が存在する場合に，人間が存在する方向の情報を出力する人体判定手段と，
前記人体判定手段で前記特殊原稿判定装置の近傍に人間が存在すると判定された場合に，前記人体判定手段によって出力された人間が存在する方向の情報に基づいて，人間が存在する方向にマイクロ波を出力しないように前記マイクロ波出力手段を制御する制御手段と，
を備えることを特徴とする特殊原稿判定装置。
【請求項２】
前記マイクロ波出力手段は，前記原稿を横断または縦断する方向のみに対してマイクロ波を出力し，
前記制御手段は，前記記人体判定手段で前記特殊原稿判定装置の近傍に人間が存在すると判定された場合に，前記人体判定手段によって出力された人間が存在する方向の情報に基づいて，人間が存在する方向以外の方向であって，かつ前記原稿を横断または縦断する方向にのみマイクロ波を出力するように前記マイクロ波出力手段を制御することを特徴とする請求項１に記載の特殊原稿判定装置。
【請求項３】
さらに，前記マイクロ波出力手段から出力されたマイクロ波を受信するマイクロ波受信手段を備え，
前記原稿を横断または縦断する方向が，前記マイクロ波受信手段の位置する方向であることを特徴とする請求項２に記載の特殊原稿判定装置。
【請求項４】
さらに，各種モードの入力およびメッセージの表示等を行うための操作パネルを備え，
前記原稿を横断または縦断する方向が，前記操作パネルの位置する方向以外の方向であることを特徴とする請求項２〜３のいずれか一つに記載の特殊原稿判定装置。
【請求項５】
さらに，前記原稿を載置する原稿載置台を備え，
前記原稿を横断または縦断する方向が，前記原稿載置台に対して平行な方向であることを特徴とする請求項２〜４のいずれか一つに記載の特殊原稿判定装置。
【発明の詳細な説明】
【０００１】
【発明の属する技術分野】
本発明は，マイクロ波を用いて原稿中にすき込まれた金属繊維を検出することにより，原稿が金属繊維のすき込まれた紙幣・有価証券等の特殊原稿（帳票）であるか否かを判定する特殊原稿判定装置に関し，より詳細には，マイクロ波を人体に照射しないようにして，マイクロ波による悪影響が人体に及ぶことを防止するようにした特殊原稿判定装置に関する。
【０００２】
【従来の技術】
近年，画像処理技術・画像形成技術の向上によって，カラー複写機で複写したコピー紙幣と実際の紙幣とが容易に区別できないほど精巧に画像形成を行うことが可能になっている。このため，紙幣・有価証券等の複製が禁止されている特殊原稿を判定し，特殊原稿の場合に違法複写を禁止するようにした装置が開発されており，特殊原稿を判定する機能を搭載した複写機等の画像形成装置も提案されている。
【０００３】
上記特殊原稿として，それ自身が特殊原稿であることを示すために金属繊維がすき込まれたものがある。このような特殊原稿を通常の原稿から判別するには，特殊原稿中にすき込まれた金属繊維を検出すれば良い。そのため，金属繊維がすき込まれた特殊原稿を判定する機能を有した画像形成装置として，原稿に対してマイクロ波を照射し，照射したマイクロ波の反射波を検出して，検出信号を出力するマイクロ波センサと，マイクロ波センサから出力された検出信号を入力し，この検出信号を用いて，原稿中に金属繊維がすき込まれているか否かを判定する信号判定部と，を備えたものが提案されている。
【０００４】
上記画像形成装置においてマイクロ波センサは，一般に，撮像用のＣＣＤ等を備える画像読取ユニットに設けられ，原稿台に載置された原稿上を画像読取ユニットと共に往復運動し，その往路にて金属繊維を検出するためのマイクロ波の照射および反射波の検出を行う。そして，信号判定部が，マイクロ波センサから出力された反射波の検出信号を入力し，入力した検出信号のレベルと予め設定された閾値とを比較し，検出信号のレベルが閾値を超える場合は原稿中に金属繊維がすき込まれていると判定し，一方，検出信号のレベルが閾値を超えない場合は原稿中に金属繊維がすき込まれていないと判定する。その結果，原稿中に金属繊維がすき込まれていると判定された場合には，原稿が金属繊維のすき込まれた紙幣・有価証券等の特殊原稿であると判定される。
【０００５】
【発明が解決しようとする課題】
しかしながら，上記従来の技術においては，コンタクトガラスの下の画像読取ユニットに設けられたマイクロ波センサからコンタクトガラス上に載置された原稿に向けてマイクロ波を出力し，その反射波を検出するという方法を用いて原稿が特殊原稿であるか否かを判定するため，マイクロ波がユーザに照射される可能性があった。すなわち，上記従来の技術においては，マイクロ波が人体へ直接照射されることがないように装置を構成する必要があった。
【０００６】
本発明は上記に鑑みてなされたものであって，マイクロ波がユーザに照射されることがないようにし，ユーザに対する安全性を確保することを目的とする。
【０００７】
【課題を解決するための手段】
上記目的を達成するため，請求項１の特殊原稿判定装置は，判定対象となる原稿にマイクロ波を照射し，前記照射したマイクロ波の透過波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，前記原稿に対してマイクロ波を出力して，前記原稿にマイクロ波を照射するマイクロ波出力手段と，前記特殊原稿判定装置の近傍に人間が存在するか否かを判定し，前記特殊原稿判定装置の近傍に人間が存在する場合に，人間が存在する方向の情報を出力する人体判定手段と，前記人体判定手段で前記特殊原稿判定装置の近傍に人間が存在すると判定された場合に，前記人体判定手段によって出力された人間が存在する方向の情報に基づいて，人間が存在する方向にマイクロ波を出力しないように前記マイクロ波出力手段を制御する制御手段とを備えるものである。
【０００８】
また，請求項２の特殊原稿判定装置は，請求項１記載の特殊原稿判定装置において，前記マイクロ波出力手段は，前記原稿を横断または縦断する方向のみに対してマイクロ波を出力し，前記制御手段は，前記記人体判定手段で前記特殊原稿判定装置の近傍に人間が存在すると判定された場合に，前記人体判定手段によって出力された人間が存在する方向の情報に基づいて，人間が存在する方向以外の方向であって，かつ前記原稿を横断または縦断する方向にのみマイクロ波を出力するように前記マイクロ波出力手段を制御するものである。
【０００９】
また，請求項３の特殊原稿判定装置は，請求項２に記載の特殊原稿判定装置において，さらに，前記特殊原稿判定装置の近傍に人間が存在するか否かを判定する人体判定手段を備え，前記人体判定手段で前記特殊原稿判定装置の近傍に人間が存在すると判定された場合に，前記原稿を横断または縦断する方向が，前記人体検知手段が検知した人間の存在する方向以外の方向であるものである。
【００１０】
また，請求項４の特殊原稿判定装置は，請求項２〜３のいずれか一つに記載の特殊原稿判定装置において，さらに，各種モードの入力およびメッセージの表示等を行うための操作パネルを備え，前記原稿を横断または縦断する方向が，前記操作パネルの位置する方向以外の方向であるものである。
【００１１】
また，請求項５の特殊原稿判定装置は，請求項２〜４のいずれか一つに記載の特殊原稿判定装置において，さらに，前記原稿を載置する原稿載置台を備え，前記原稿を横断または縦断する方向が，前記原稿載置台に対して平行な方向であるものである。
【００１７】
【発明の実施の形態】
以下，本発明に係る特殊原稿判定装置について，〔実施の形態１〕，〔実施の形態２〕，〔実施の形態３〕，〔実施の形態４〕，〔実施の形態５〕，〔実施の形態６〕，〔実施の形態７〕，〔実施の形態８〕の順で，図面を参照して詳細に説明する。
【００１８】
〔実施の形態１〕
図１（ａ）は，実施の形態１の特殊原稿判定装置が適用された画像読取装置の概略構成を示す斜視図であり，図１（ｂ）は，図１（ａ）の線Ａ−Ａについての断面図である。図１（ａ）および図１（ｂ）に示すように，実施の形態１の特殊原稿判定装置が適用された画像読取装置は，画像読取装置本体２４０の上部に設けられ，原稿２４３を載置するコンタクトガラス２４１（請求項５および６記載の原稿載置台に該当する）と，コンタクトガラス２４１に載置された原稿２４３を覆う圧板２４２（請求項５記載の圧板に該当する）と，コンタクトガラス２４１の長手方向の一端部に設けられ，原稿２４３を横断または縦断するようにマイクロ波を照射するマイクロ波送信装置６１（請求項１記載のマイクロ波出力手段に該当する）と，マイクロ波送信装置６１に対向してコンタクトガラス２４１の長手方向の他端部に設けられ，マイクロ波送信装置６１から出力されたマイクロ波を検出するマイクロ波受信装置６２（請求項２記載のマイクロ波受信手段に該当する）とを備えている。
【００１９】
なお，図１（ｂ）において，画像読取装置の内部構成については，説明の便宜上，図示することを省略する。また，図１（ａ）に図示してはいないが，画像読取装置本体２４０の正面には，各種モードの入力およびメッセージの表示等を行うための操作パネル（請求項４記載の操作パネルに該当する）が設けられている。さらに，マイクロ波送信装置６１およびマイクロ波受信装置６２として，複数のマイクロ波送信装置およびマイクロ波受信装置をコンタクトガラス２４１の端部に沿って一列に配列した構成を示したが，この構成に限定するものではなく，原稿２４３の少なくとも一点にマイクロ波を照射して，その透過波を検出するという構成であっても良い。
【００２０】
図２は，図１（ａ）および図１（ｂ）に示す画像読取装置に適用された特殊原稿判定装置のブロック構成図である。図２に示すように，特殊原稿判定装置は，上記コンタクトガラス２４１の長手方向の両端部に設けられたマイクロ波送信装置６１およびマイクロ波受信装置６２と，マイクロ波受信装置６２から出力されたマイクロ波の検出信号を入力し，入力した検出信号を用いて，原稿中に金属繊維がすき込まれているか否かを判定する特殊原稿判定部６３と，上記各部を制御する制御装置６４とを備えている。
【００２１】
次に，上記構成を備えた特殊原稿判定装置が適用された画像読取装置の動作を説明する。実施の形態１の特殊原稿判定装置を備えた画像読取装置において，原稿が金属繊維のすき込まれた紙幣・有価証券等の特殊原稿であるか否かの判定処理は，画像読取装置による画像データの読取に先立って実行される。
【００２２】
まず，原稿２４３がコンタクトガラス２４１上に載置されて圧板２４２で覆われる。そして，原稿２４３から画像データを読み取る命令が操作パネルから入力されると，マイクロ波送信装置６１は，原稿２４３を通ってマイクロ波受信装置６２に至る方向（図１（ａ）および図１（ｂ）中の矢印参照）のみにマイクロ波を出力する。
【００２３】
マイクロ波送信装置６１から出力されたマイクロ波は，コンタクトガラス２４１上を平行に進み，原稿２４３に照射される。さらに，原稿２４３を透過したマイクロ波は，コンタクトガラス２４１上を平行に進み，マイクロ波受信装置６２に到達する。
【００２４】
マイクロ波受信装置６２は，マイクロ波の透過波を受信し，受信した透過波の検出信号を特殊原稿判定部６３に出力する。
【００２５】
特殊原稿判定部６３は，マイクロ波受信装置６２から出力された透過波の検出信号を入力し，この検出信号を用いて，原稿２４３に金属繊維がすき込まれているか否かを判定する。この際，特殊原稿判定部６３は，例えば検出信号のレベルと予め設定された閾値とを比較し，検出信号のレベルが閾値を超えるか否かを判定することによって，原稿２４３に金属繊維がすき込まれているか否かを判定する。そして，特殊原稿判定部６３は，原稿２４３に金属繊維がすき込まれているか否かの判定結果を制御装置６４に対して出力する。
【００２６】
制御装置６４は，特殊原稿判定部６３から出力された判定結果を入力し，原稿２４３に金属繊維がすき込まれているとの判定結果の場合は，原稿２４３が金属繊維のすき込まれた紙幣・有価証券等の特殊原稿であると判定する。一方，原稿２４３に金属繊維がすき込まれていないとの判定結果の場合は，原稿２４３が特殊原稿ではなく，一般の原稿であると判定する。
【００２７】
上述したように，原稿２４３が特殊原稿であるか否かを判定した後，その判定結果に基づいて，原稿２４３から画像データを読み取る処理が開示される。原稿２４３が特殊原稿でないと判定された場合には，通常通り，原稿２４３から画像データを読み取るための処理が開始される。一方，原稿２４３が特殊原稿であると判定された場合には，例えば，原稿２４３から画像データを読み取ることを中止したり，読み取った画像データに特殊な画像処理を施したりすることにより，紙幣・有価証券等の違法複写を防止するための処理が開始される。
【００２８】
このように，実施の形態１の特殊原稿判定装置が適用された画像読取装置によれば，マイクロ波発信装置６１が，原稿２４３を通りマイクロ波受信装置６２に至る方向であって，コンタクトガラス２４１に平行にマイクロ波を出力するため，簡単な構成でマイクロ波が人体に照射されるということを防止することができる。特に，実施の形態１の特殊原稿判定装置が適用された画像読取装置では，通常ユーザが存在する操作パネルが設けられた方向を避け，画像読取装置の左側から右側（右側から左側であっても良い）へマイクロ波を出力するため，簡単な構成でマイクロ波が人体に照射されるということを防止することができる。
【００２９】
〔実施の形態２〕
図３（ａ）は，実施の形態２の特殊原稿判定装置が適用された画像読取装置の概略構成を示す斜視図であり，図３（ｂ）は，図３（ａ）の線Ｂ−Ｂについての断面図である。図３（ａ）および図３（ｂ）に示すように，実施の形態２の特殊原稿判定装置が適用された画像読取装置は，画像読取装置本体２４０の上部に設けられ，原稿２４３を載置するコンタクトガラス２４１（請求項５および６記載の原稿載置台に該当する）と，コンタクトガラス２４１に載置された原稿２４３を覆う圧板２４２（請求項５記載の圧板に該当する）と，コンタクトガラス２４１の短手方向の一端部に設けられ，原稿２４３を横断または縦断するようにマイクロ波を照射するマイクロ波送信装置６１（請求項１記載のマイクロ波出力手段に該当する）と，マイクロ波送信装置６１に対向してコンタクトガラス２４１の短手方向の他端部に設けられ，マイクロ波送信装置６１から出力されたマイクロ波を検出するマイクロ波受信装置６２（請求項２記載のマイクロ波受信手段に該当する）とを備えている。
【００３０】
なお，図３（ｂ）において，画像読取装置の内部構成については，説明の便宜上，図示することを省略する。また，図３（ａ）に図示してはいないが，画像読取装置本体２４０の正面には，各種モードの入力およびメッセージの表示等を行うための操作パネル（請求項４記載の操作パネルに該当する）が設けられている。さらに，マイクロ波送信装置６１およびマイクロ波受信装置６２として，複数のマイクロ波送信装置およびマイクロ波受信装置をコンタクトガラス２４１の端部に沿って一列に配列した構成を示したが，この構成に限定するものではなく，原稿２４３の少なくとも一点にマイクロ波を照射して，その透過波を検出するという構成であっても良い。
【００３１】
また，特殊原稿判定装置の構成については，実施の形態１で説明した図２に示す通りであるため，ここではその説明を省略する。
【００３２】
次に，上記構成を備えた特殊原稿判定装置が適用された画像読取装置の動作を説明する。ただし，実施の形態２の特殊原稿判定装置を備えた画像読取装置の動作は，上述した実施の形態１の特殊原稿判定装置を備えた画像読取装置と基本的に同様であるため，ここでは異なるところのみを説明する。
【００３３】
実施の形態２の特殊原稿判定装置を備えた画像読取装置において，マイクロ波送信装置６１は，画像読取装置の正面から背面に向け，かつ原稿２４３を通ってマイクロ波受信装置６２に至る方向（図３（ａ）および図３（ｂ）中の矢印参照）のみにマイクロ波を出力する。マイクロ波送信装置６１から出力されたマイクロ波は，コンタクトガラス２４１上を平行に進み，原稿２４３に照射される。
【００３４】
その後，マイクロ波の透過波の検出，原稿２４３に金属繊維がすき込まれているか否かの判定，原稿２４３が特殊原稿であるか否かの判定の順で処理が進められる。
【００３５】
このように，実施の形態２の特殊原稿判定装置が適用された画像読取装置によれば，マイクロ波発信装置６１が，原稿２４３を通りマイクロ波受信装置６２に至る方向であって，コンタクトガラス２４１に平行にマイクロ波を出力するため，簡単な構成でマイクロ波が人体に照射されるということを防止することができる。特に，実施の形態２の特殊原稿判定装置が適用された画像読取装置では，通常ユーザが存在する操作パネルが設けられた方向を避け，画像読取装置の正面から背面へマイクロ波を出力するため，簡単な構成でマイクロ波が人体に照射されるということを防止することができる。
【００３６】
〔実施の形態３〕
図４（ａ）は，実施の形態３の特殊原稿判定装置が適用された画像読取装置の概略構成を示す斜視図であり，図４（ｂ）は，図４（ａ）の線Ｃ−Ｃについての断面図である。図４（ａ）および図４（ｂ）に示すように，実施の形態３の特殊原稿判定装置が適用された画像読取装置は，画像読取装置本体２４０の上部に設けられ，原稿２４３を載置するコンタクトガラス２４１（請求項５および６記載の原稿載置台に該当する）と，コンタクトガラス２４１に載置された原稿２４３を覆う圧板２４２（請求項５記載の圧板に該当する）と，圧板２４２に設けられ，原稿２４３に対してマイクロ波を照射するマイクロ波送信装置６１（請求項１記載のマイクロ波出力手段に該当する）と，マイクロ波送信装置６１に対向してコンタクトガラス２４１の下方に設けられ，マイクロ波送信装置６１から出力されたマイクロ波を検出するマイクロ波受信装置６２（請求項２記載のマイクロ波受信手段に該当する）とを備えている。
【００３７】
なお，図４（ｂ）において，画像読取装置の内部構成については，説明の便宜上，図示することを省略する。また，図４（ａ）に図示してはいないが，画像読取装置本体２４０の正面には，各種モードの入力およびメッセージの表示等を行うための操作パネル（請求項４記載の操作パネルに該当する）が設けられている。さらに，マイクロ波送信装置６１およびマイクロ波受信装置６２として，複数のマイクロ波送信装置およびマイクロ波受信装置を一列に配列した構成を示したが，この構成に限定するものではなく，原稿２４３の少なくとも一点または原稿２４３の全体にマイクロ波を照射して，その透過波を検出するという構成であっても良い。
【００３８】
また，特殊原稿判定装置の構成については，実施の形態１で説明した図２に示す通りであるため，ここではその説明を省略する。
【００３９】
次に，上記構成を備えた特殊原稿判定装置が適用された画像読取装置の動作を説明する。ただし，実施の形態３の特殊原稿判定装置を備えた画像読取装置の動作は，上述した実施の形態１の特殊原稿判定装置を備えた画像読取装置と基本的に同様であるため，ここでは異なるところのみを説明する。
【００４０】
実施の形態３の特殊原稿判定装置を備えた画像読取装置において，マイクロ波送信装置６１は，圧板２４２側からコンタクトガラスに対して垂直な方向であって，原稿２４３を通ってマイクロ波受信装置６２に至る方向（図４（ａ）および図４（ｂ）中の矢印参照）のみにマイクロ波を出力する。マイクロ波送信装置６１から出力されたマイクロ波は，原稿２４３に照射される。
【００４１】
その後，マイクロ波の透過波の検出，原稿２４３に金属繊維がすき込まれているか否かの判定，原稿２４３が特殊原稿であるか否かの判定の順で処理が進められる。
【００４２】
このように，実施の形態２の特殊原稿判定装置が適用された画像読取装置によれば，マイクロ波発信装置６１が，原稿２４３を通りマイクロ波受信装置６２に至る方向であって，圧板２４２からコンタクトガラス２４１に対して垂直にマイクロ波を出力するため，簡単な構成でマイクロ波が人体に照射されるということを防止することができる。特に，実施の形態２の特殊原稿判定装置が適用された画像読取装置では，通常ユーザが存在する操作パネルが設けられた方向を避け，画像読取装置の上方から下方へマイクロ波を出力するため，簡単な構成でマイクロ波が人体に照射されるということを防止することができる。
【００４３】
〔実施の形態４〕
図５（ａ）は，実施の形態４の特殊原稿判定装置が適用された画像読取装置の概略構成を示す斜視図であり，図５（ｂ）は，図５（ａ）の線Ｄ−Ｄについての断面図である。図５（ａ）および図５（ｂ）に示すように，実施の形態４の特殊原稿判定装置が適用された画像読取装置は，画像読取装置本体２４０の上部に設けられ，原稿２４３を載置するコンタクトガラス２４１（請求項５および６記載の原稿載置台に該当する）と，コンタクトガラス２４１に載置された原稿２４３を覆う圧板２４２（請求項５記載の圧板に該当する）と，コンタクトガラス２４１の長手方向の一端部に設けられ，マイクロ波を扇状に振りつつ原稿２４３に対して照射するマイクロ波送信装置６１（請求項１記載のマイクロ波出力手段に該当する）と，マイクロ波送信装置６１に対向してコンタクトガラス２４１の長手方向の他端部に設けられ，マイクロ波送信装置６１から出力されたマイクロ波を検出するマイクロ波受信装置６２（請求項２記載のマイクロ波受信手段に該当する）とを備えている。
【００４４】
なお，図５（ｂ）において，画像読取装置の内部構成については，説明の便宜上，図示することを省略する。また，図５（ａ）に図示してはいないが，画像読取装置本体２４０の正面には，各種モードの入力およびメッセージの表示等を行うための操作パネル（請求項４記載の操作パネルに該当する）が設けられている。
【００４５】
また，特殊原稿判定装置の構成については，実施の形態１で説明した図２に示す通りであるため，ここではその説明を省略する。
【００４６】
次に，上記構成を備えた特殊原稿判定装置が適用された画像読取装置の動作を説明する。ただし，実施の形態４の特殊原稿判定装置を備えた画像読取装置の動作は，上述した実施の形態１の特殊原稿判定装置を備えた画像読取装置と基本的に同様であるため，ここでは異なるところのみを説明する。
【００４７】
実施の形態４の特殊原稿判定装置を備えた画像読取装置において，マイクロ波送信装置６１は，画像読取装置の左側から右側に向け，かつ原稿２４３を通ってマイクロ波受信装置６２に至る方向（図５（ａ）および図５（ｂ）中の矢印参照）のみにマイクロ波を出力する。そして，マイクロ波発信装置６１は，上記方向にマイクロ波を出力すると共に，出力したマイクロ波を左右に振ることにより，一点から出力されるマイクロ波で原稿２４３全体をカバーする。マイクロ波送信装置６１から出力されたマイクロ波は，コンタクトガラス２４１上を平行に進み，原稿２４３に照射される。
【００４８】
その後，マイクロ波の透過波の検出，原稿２４３に金属繊維がすき込まれているか否かの判定，原稿２４３が特殊原稿であるか否かの判定の順で処理が進められる。
【００４９】
通常，マイクロ波発信装置は，原稿全体にマイクロ波を照射できるように，複数のマイクロ波発信装置を一列に配列されて構成されるか，コストの問題で，主走査方向の数点にのみマイクロ波を照射できるように構成される。ところが，実施の形態４の特殊原稿判定装置が適用された画像読取装置によれば，一つのマイクロ波発信装置６１であっても，マイクロ波を左右に振りつつ出力することができるように構成することにより，原稿全体をカバーすることができ，装置の低コスト化を図ることができる。さらに，原稿２４３を通りマイクロ波受信装置６２に至る方向であって，コンタクトガラス２４１に平行にマイクロ波を出力するため，簡単な構成でマイクロ波が人体に照射されるということを防止することができる。特に，実施の形態４の特殊原稿判定装置が適用された画像読取装置では，通常ユーザが存在する操作パネルが設けられた方向を避け，画像読取装置の左側から右側へマイクロ波を出力するため，簡単な構成でマイクロ波が人体に照射されるということを防止することができる。
【００５０】
なお，実施の形態４の特殊原稿判定装置が適用された画像読取装置においては，装置の左側から右側へマイクロ波を出力する構成としたが，これに限定するものではなく，装置の正面から背面へまたは圧板２４２側からコンタクトガラス２４１に垂直にマイクロ波を出力する等，任意に出力方向を変えることができる。
【００５１】
〔実施の形態５〕
図６（ａ）は，実施の形態５の特殊原稿判定装置が適用された画像読取装置の概略構成を示す斜視図であり，図６（ｂ）は，図６（ａ）の線Ｅ−Ｅについての断面図であり，図６（ｃ）は，図６（ａ）の線Ｆ−Ｆについての断面図である。図６（ａ），図６（ｂ）および図６（ｃ）に示すように，実施の形態５の特殊原稿判定装置が適用された画像読取装置は，画像読取装置本体２４０の上部に設けられ，原稿２４３を載置するコンタクトガラス２４１（請求項５および６記載の原稿載置台に該当する）と，コンタクトガラス２４１に載置された原稿２４３を覆う圧板２４２（請求項５記載の圧板に該当する）と，コンタクトガラス２４１の長手方向および短手方向の一端部に設けられ，原稿２４３に対してマイクロ波を照射するマイクロ波送信装置６１ａおよび６１ｂ（請求項１記載のマイクロ波出力手段に該当する）と，マイクロ波送信装置６１ａおよび６１ｂにそれぞれ対向してコンタクトガラス２４１の長手方向および短手方向の他端部に設けられ，マイクロ波送信装置６１ａおよび６１ｂからそれぞれ出力されたマイクロ波を検出するマイクロ波受信装置６２ａおよび６２ｂ（請求項２記載のマイクロ波受信手段に該当する）と，画像読取装置の所定の位置に設けられ，画像読取装置の近傍に人間が存在することを検出する赤外線センサ等からなる人体検出装置６５（請求項３記載の人体判定手段に該当する）と，を備えている。
【００５２】
なお，図６（ｂ）および図６（ｃ）において，画像読取装置の内部構成については，説明の便宜上，図示することを省略する。また，図６（ａ）に図示してはいないが，画像読取装置本体２４０の正面には，各種モードの入力およびメッセージの表示等を行うための操作パネル（請求項４記載の操作パネルに該当する）が設けられている。さらに，マイクロ波送信装置６１およびマイクロ波受信装置６２として，複数のマイクロ波送信装置およびマイクロ波受信装置をコンタクトガラス２４１の端部に沿って一列に配列した構成を示したが，この構成に限定するものではなく，原稿２４３の少なくとも一点にマイクロ波を照射して，その透過波を検出するという構成であっても良い。
【００５３】
図７は，図６（ａ），図６（ｂ）および図６（ｃ）に示す画像読取装置に適用された特殊原稿判定装置のブロック構成図である。図７に示すように，特殊原稿判定装置は，上記コンタクトガラス２４１の長手方向および短手方向の両端部に設けられたマイクロ波送信装置６１ａおよび６１ｂ並びにマイクロ波受信装置６２ａおよび６２ｂと，マイクロ波受信装置６２ａおよび６２ｂから出力されたマイクロ波の検出信号を入力し，入力した検出信号を用いて，原稿中に金属繊維がすき込まれているか否かを判定する特殊原稿判定部６３と，画像読取装置の近傍に人間が存在することを検出する人体検出装置６５と，上記各部を制御すると共に，人体検出装置６５で画像読取装置の近傍に人間が存在することが検出された場合に，画像読取装置の近傍に人間が存在すると判定し，以下に説明する処理を実行する制御装置６４（請求項３記載の人体判定手段に該当する）とを備えている。
【００５４】
次に，上記構成を備えた特殊原稿判定装置が適用された画像読取装置の動作について，▲１▼通常の動作，▲２▼画像読取装置の近傍に人間が存在する場合の動作の順で説明する。ただし，実施の形態５の特殊原稿判定装置を備えた画像読取装置の動作は，上述した実施の形態１の特殊原稿判定装置を備えた画像読取装置と基本的に同様であるため，ここでは異なるところのみを説明する。
【００５５】
▲１▼通常の動作
実施の形態５の特殊原稿判定装置を備えた画像読取装置において，マイクロ波送信装置６１ａは，画像読取装置の左側から右側に向け，かつ原稿２４３を通ってマイクロ波受信装置６２ａに至る方向（図６（ａ）および図６（ｂ）中の矢印参照）のみにマイクロ波を出力する。また，マイクロ波送信装置６１ｂは，画像読取装置の正面から背面に向け，かつ原稿２４３を通ってマイクロ波受信装置６２ｂに至る方向（図６（ａ）および図６（ｃ）中の矢印参照）のみにマイクロ波を出力する。なお，原稿２４３が特殊原稿であるか否かを判定する際に，２つのマイクロ波発信装置６１ａおよび６１ｂを同時に用いるか，１つのみを用いるかは任意に設定することができる。ただし，２つのマイクロ波発信装置６１ａおよび６１ｂを同時に用いた場合には，特殊原稿の判定精度を向上させることができるため，ここでは２つを同時に用いることにする。
【００５６】
マイクロ波送信装置６１ａおよび６１ｂから出力されたマイクロ波は，コンタクトガラス２４１上を平行に進み，原稿２４３に照射される。
【００５７】
その後，マイクロ波の透過波の検出，原稿２４３に金属繊維がすき込まれているか否かの判定，原稿２４３が特殊原稿であるか否かの判定の順で処理が進められる。
【００５８】
▲２▼画像読取装置の近傍に人間が存在する場合の動作
次に，画像読取装置の近傍に人間が存在する場合の動作を説明する。人体検出装置６５は，画像読取装置の近傍に人間が存在するか否かを監視している。人体検出装置６５は，画像読取装置の近傍に人間が存在することを検出した場合は，人間が存在する方向の情報を含む信号を制御装置６４に出力する。
【００５９】
制御装置６４は，人体検出装置６５から出力された信号を解析し，人間が存在する方向を認識する。そして，原稿２４３が特殊原稿か否かを判定するための処理を開始する際に，人間が存在する方向にはマイクロ波を出力しないように，マイクロ波発信装置６１ａおよび６１ｂを制御する。
【００６０】
図６に示すように，実施の形態５の特殊原稿判定装置を備えた画像読取装置においては，マイクロ波発信装置６１ａによって装置の左側から右側へマイクロ波が出力され，また，マイクロ波発信装置６１ｂによって装置の正面から背面へマイクロ波が出力される。ここで，例えば画像読取装置の右側に人間が存在することを検知した場合に，制御装置６４は，マイクロ波発信装置６１ａからマイクロ波を出力することを中止し，マイクロ波発信装置６１ｂのみを用いて原稿２４３が特殊原稿であるか否かの判定処理を実行する。
【００６１】
このように，実施の形態５の特殊原稿判定装置が適用された画像読取装置によれば，人体検出装置６５で人間が存在する方向を検出し，制御装置６４が人間の存在する方向にマイクロ波を出力しないようマイクロ波発信装置６１ａおよび６１ｂを制御するため，マイクロ波が人体に照射されるということを防止することができる。
【００６２】
なお，実施の形態５の特殊原稿判定装置が適用された画像読取装置において，マイクロ波を出力する方向を装置の左側から右側および装置の正面から背面としたが，マイクロ波の方向は自由に変更することができ，さらに，実施の形態３で説明したように，圧板２４２側からコンタクトガラス２４１に対して垂直にマイクロ波を照射するようにしても良い。すなわち，実施の形態５の特殊原稿判定装置が適用された画像読取装置においては，人間の存在する方向にマイクロ波を照射しないようにしつつ，特殊原稿の判定処理を実行する必要があるため，複数の方向にマイクロ波を出力できる構成を備えていれば良い。
【００６３】
〔実施の形態６〕
実施の形態６の特殊原稿判定装置が適用された画像読取装置は，原稿を覆う圧板が開いている場合に，原稿が特殊原稿であるか否かを判定する処理を中止すると共に，原稿から画像データを読み取ることを中止するというものである。なお，実施の形態６の特殊原稿判定装置が適用された画像読取装置の構成は，上述した実施の形態１〜５のいずれの構成を用いてもよく，また，従来技術で説明したように，マイクロ波出力装置を画像読取ユニットに設ける構成であっても良い。したがって，ここでは実施の形態１の特殊原稿判定装置が適用された画像読取装置と同様の構成であるとし，詳細な説明を省略する。
【００６４】
図８は，実施の形態６において，画像読取装置に適用された特殊原稿判定装置のブロック構成図である。図８に示すように，特殊原稿判定装置は，コンタクトガラス２４１の長手方向の両端部に設けられたマイクロ波送信装置６１（請求項８記載のマイクロ波出力手段に該当する）およびマイクロ波受信装置６２と，マイクロ波受信装置６２から出力されたマイクロ波の検出信号を入力し，入力した検出信号を用いて，原稿中に金属繊維がすき込まれているか否かを判定する特殊原稿判定部６３と，圧板２４２が開状態であることを検出する圧板開放検出装置６６（請求項８記載の圧板判定手段に該当する）と，上記各部を制御すると共に，圧板開放検出装置６６で圧板２４２が開状態であることが検出された場合に，以下に説明する処理を実行する制御装置６４（請求項８記載の圧板判定手段に該当する）とを備えている。
【００６５】
次に，上記構成の特殊原稿判定装置が適用された画像読取装置の動作を説明する。図９は，実施の形態６の特殊原稿判定装置が適用された画像読取装置の動作を示すフローチャートである。
【００６６】
実施の形態６の特殊原稿判定装置を備えた画像読取装置においては，画像読取装置による画像データの読取に先立って，原稿が金属繊維のすき込まれた紙幣・有価証券等の特殊原稿であるか否かの判定処理が実行される。
【００６７】
まず，原稿２４３がコンタクトガラス２４１上に載置されて圧板２４２で覆われる。そして，原稿２４３から画像データを読み取る命令が操作パネルから入力されると，マイクロ波送信装置６１から原稿２４３にマイクロ波を出力するための準備が開始される（Ｓ９０１）。
【００６８】
そして，制御装置６４は，圧板２４２の開閉状態を判定する（Ｓ９０２）。すなわち，制御装置６４は，圧板２４２が開状態であることを検出した場合に出力される信号が圧板開放検出装置６６から入力されたか否かを判定することにより，圧板２４２の開閉状態を判定する。
【００６９】
ステップＳ９０２において，圧板２４２が開状態であると判定した場合，制御装置６４は，特殊原稿の判定処理を中止すると共に，原稿２４３から画像データを読み取る処理を中止する。
【００７０】
一方，ステップＳ９０２において，圧板２４２が閉状態であると判定した場合，制御装置６４は，原稿２４３が特殊原稿であるか否かの判定処理を開始する（Ｓ９０３）。すなわち，マイクロ波送信装置６１が原稿２４３に対してマイクロ波を照射し，マイクロ波受信装置６２がマイクロ波の透過波を検出して，透過波の検出信号を特殊原稿判定部６３に出力する。そして，特殊原稿判定部６３は，透過波の検出信号を用いて，原稿２４３中に金属繊維がすき込まれているか否かを判定する（Ｓ９０４）。
【００７１】
ステップＳ９０４において，原稿２４３中に金属繊維がすき込まれていると判定された場合，制御装置６４は，原稿２４３が金属繊維のすき込まれた紙幣・有価証券等の特殊原稿であると判定し，原稿２４３から画像データを読み取ることを中止する。
【００７２】
一方，ステップＳ９０４において，原稿２４３中に金属繊維がすき込まれていないと判定された場合，制御装置６４は，原稿２４３が特殊原稿ではなく，一般の原稿であると判定し，原稿２４３から画像データを読み取るための処理を開始する。
【００７３】
このように，実施の形態６の特殊原稿判定装置が適用された画像読取装置によれば，原稿２４３が特殊原稿であるか否かを判定する処理を開始する際，圧板２４３が開状態である場合に，マイクロ波を出力せず判定処理を中止するため，たとえコンタクトガラス２４１の下方から上方に向けてマイクロ波を出力する構成であったとしても，マイクロ波が人間に直接照射されることを防止することができる。
【００７４】
〔実施の形態７〕
実施の形態７の特殊原稿判定装置が適用された画像読取装置は，画像読取装置の近傍に人間が存在する場合に，原稿が特殊原稿であるか否かを判定する処理を中止すると共に，原稿から画像データを読み取ることを中止するというものである。なお，実施の形態７の特殊原稿判定装置が適用された画像読取装置の構成は，上述した実施の形態１〜５のいずれの構成を用いてもよく，また，従来技術で説明したように，マイクロ波出力装置を画像読取ユニットに設ける構成であっても良い。したがって，ここでは実施の形態１の特殊原稿判定装置が適用された画像読取装置と同様の構成であるとし，詳細な説明を省略する。
【００７５】
図１０は，実施の形態７において，画像読取装置に適用された特殊原稿判定装置のブロック構成図である。図１０に示すように，特殊原稿判定装置は，コンタクトガラス２４１の長手方向の両端部に設けられたマイクロ波送信装置６１（請求項９記載のマイクロ波出力手段に該当する）およびマイクロ波受信装置６２と，マイクロ波受信装置６２から出力されたマイクロ波の検出信号を入力し，入力した検出信号を用いて，原稿中に金属繊維がすき込まれているか否かを判定する特殊原稿判定部６３と，画像読取装置の近傍に人間が存在することを検出する赤外線センサ等からなる人体検出装置６５（請求項９記載の人体判定手段に該当する）と，上記各部を制御すると共に，人体検出装置６５で画像読取装置の近傍に人間が存在することが検出された場合に，画像読取装置の近傍に人間が存在すると判定し，以下に説明する処理を実行する制御装置６４（請求項９記載の人体判定手段に該当する）と，を備えている。
【００７６】
次に，上記構成の特殊原稿判定装置が適用された画像読取装置の動作を説明する。図１１は，実施の形態７の特殊原稿判定装置が適用された画像読取装置の動作を示すフローチャートである。
【００７７】
実施の形態７の特殊原稿判定装置を備えた画像読取装置においては，画像読取装置による画像データの読取に先立って，原稿が金属繊維のすき込まれた紙幣・有価証券等の特殊原稿であるか否かの判定処理が実行される。
【００７８】
まず，原稿２４３がコンタクトガラス２４１上に載置されて圧板２４２で覆われる。そして，原稿２４３から画像データを読み取る命令が操作パネルから入力されると，マイクロ波送信装置６１から原稿２４３にマイクロ波を出力するための準備が開始される（Ｓ１１０１）。
【００７９】
そして，制御装置６４は，画像読取装置の近傍に人間が存在するか否かを判定する（Ｓ１１０２）。すなわち，制御装置６４は，画像読取装置の近傍に人間が存在することを検出した場合に人体検出装置６５から出力される信号が入力されたか否かを判定することにより，画像読取装置の近傍に人間が存在するか否かを判定する。
【００８０】
ステップＳ１１０２において，画像読取装置の近傍に人間が存在すると判定した場合，制御装置６４は，特殊原稿の判定処理を中止すると共に，原稿２４３から画像データを読み取る処理を中止する。
【００８１】
一方，ステップＳ１１０２において，画像読取装置の近傍に人間が存在しないと判定した場合，制御装置６４は，原稿２４３が特殊原稿であるか否かの判定処理を開始する（Ｓ１１０３）。すなわち，マイクロ波送信装置６１が原稿２４３に対してマイクロ波を照射し，マイクロ波受信装置６２がマイクロ波の透過波を検出して，透過波の検出信号を特殊原稿判定部６３に出力する。そして，特殊原稿判定部６３は，透過波の検出信号を用いて，原稿２４３中に金属繊維がすき込まれているか否かを判定する（Ｓ１１０４）。
【００８２】
ステップＳ１１０４において，原稿２４３中に金属繊維がすき込まれていると判定された場合，制御装置６４は，原稿２４３が金属繊維のすき込まれた紙幣・有価証券等の特殊原稿であると判定し，原稿２４３から画像データを読み取ることを中止する。
【００８３】
一方，ステップＳ１１０４において，原稿２４３中に金属繊維がすき込まれていないと判定された場合，制御装置６４は，原稿２４３が特殊原稿ではなく，一般の原稿であると判定し，原稿２４３から画像データを読み取るための処理を開始する。
【００８４】
このように，実施の形態７の特殊原稿判定装置が適用された画像読取装置によれば，原稿２４３が特殊原稿であるか否かを判定する処理を開始する際，画像読取装置の近傍に人間が存在する場合に，マイクロ波を出力せず判定処理を中止するため，たとえコンタクトガラス２４１の下方から上方に向けてマイクロ波を出力する構成であったとしても，マイクロ波が人間に直接照射されることを防止することができる。
【００８５】
〔実施の形態８〕
実施の形態８の特殊原稿判定装置が適用された画像読取装置は，原稿を覆う圧板が開いている場合および／または画像読取装置の近傍に人間が存在する場合に，原稿が特殊原稿であるか否かを判定する処理を中止すると共に，原稿から画像データを読み取ることを中止するというものである。なお，実施の形態８の特殊原稿判定装置が適用された画像読取装置の構成は，上述した実施の形態１〜５のいずれの構成を用いてもよく，また，従来技術で説明したように，マイクロ波出力装置を画像読取ユニットに設ける構成であっても良い。したがって，ここでは実施の形態１の特殊原稿判定装置が適用された画像読取装置と同様の構成であるとし，詳細な説明を省略する。
【００８６】
図１２は，実施の形態８において，画像読取装置に適用された特殊原稿判定装置のブロック構成図である。図１２に示すように，特殊原稿判定装置は，コンタクトガラス２４１の長手方向の両端部に設けられたマイクロ波送信装置６１（請求項１０記載のマイクロ波出力手段に該当する）およびマイクロ波受信装置６２と，マイクロ波受信装置６２から出力されたマイクロ波の検出信号を入力し，入力した検出信号を用いて，原稿中に金属繊維がすき込まれているか否かを判定する特殊原稿判定部６３と，圧板２４２が開状態であることを検出する圧板開放検出装置６６（請求項１０記載の圧板判定手段に該当する）と，画像読取装置の近傍に人間が存在することを検出する赤外線センサ等からなる人体検出装置６５（請求項１０記載の人体判定手段に該当する）と，上記各部を制御すると共に，圧板開放検出装置６６で圧板２４２が開状態であることが検出された場合および／または人体検出装置６５で画像読取装置の近傍に人間が存在することが検出された場合に，以下に説明する処理を実行する制御装置６４（請求項１０記載の圧板判定手段および人体判定手段に該当する）と，を備えている。
【００８７】
次に，上記構成の特殊原稿判定装置が適用された画像読取装置の動作を説明する。図１３は，実施の形態８の特殊原稿判定装置が適用された画像読取装置の動作を示すフローチャートである。
【００８８】
実施の形態８の特殊原稿判定装置を備えた画像読取装置においては，画像読取装置による画像データの読取に先立って，原稿が金属繊維のすき込まれた紙幣・有価証券等の特殊原稿であるか否かの判定処理が実行される。
【００８９】
まず，原稿２４３がコンタクトガラス２４１上に載置されて圧板２４２で覆われる。そして，原稿２４３から画像データを読み取る命令が操作パネルから入力されると，マイクロ波送信装置６１から原稿２４３にマイクロ波を出力するための準備が開始される（Ｓ１３０１）。
【００９０】
そして，制御装置６４は，圧板２４２の開閉状態および画像読取装置の近傍に人間が存在するか否かを判定する（Ｓ１３０２）。すなわち，制御装置６４は，圧板２４２が開状態であることを検出した場合に出力される信号が圧板開放検出装置６６から入力されたか否かを判定することにより，圧板２４２の開閉状態を判定する。また，制御装置６４は，画像読取装置の近傍に人間が存在することを検出した場合に人体検出装置６５から出力される信号が入力されたか否かを判定することにより，画像読取装置の近傍に人間が存在するか否かを判定する。
【００９１】
ステップＳ１３０２において，圧板２４２が開状態であると判定した場合および／または画像読取装置の近傍に人間が存在すると判定した場合，制御装置６４は，特殊原稿の判定処理を中止すると共に，原稿２４３から画像データを読み取る処理を中止する。
【００９２】
一方，ステップＳ１３０２において，圧板２４２が閉状態であると判定した場合および画像読取装置の近傍に人間が存在しないと判定した場合，制御装置６４は，原稿２４３が特殊原稿であるか否かの判定処理を開始する（Ｓ１３０３）。すなわち，マイクロ波送信装置６１が原稿２４３に対してマイクロ波を照射し，マイクロ波受信装置６２がマイクロ波の透過波を検出して，透過波の検出信号を特殊原稿判定部６３に出力する。そして，特殊原稿判定部６３は，透過波の検出信号を用いて，原稿２４３中に金属繊維がすき込まれているか否かを判定する（Ｓ１３０４）。
【００９３】
ステップＳ１３０４において，原稿２４３中に金属繊維がすき込まれていると判定された場合，制御装置６４は，原稿２４３が金属繊維のすき込まれた紙幣・有価証券等の特殊原稿であると判定し，原稿２４３から画像データを読み取ることを中止する。
【００９４】
一方，ステップＳ１３０４において，原稿２４３中に金属繊維がすき込まれていないと判定された場合，制御装置６４は，原稿２４３が特殊原稿ではなく，一般の原稿であると判定し，原稿２４３から画像データを読み取るための処理を開始する。
【００９５】
このように，実施の形態８の特殊原稿判定装置が適用された画像読取装置によれば，原稿２４３が特殊原稿であるか否かを判定する処理を開始する際，圧板２４２が開状態である場合および／または画像読取装置の近傍に人間が存在する場合に，マイクロ波を出力せず判定処理を中止するため，たとえコンタクトガラス２４１の下方から上方に向けてマイクロ波を出力する構成であったとしても，マイクロ波が人間に直接照射されることを防止することができる。
【００９６】
なお，以上説明した実施の形態１〜８の特殊原稿判定装置が適用された画像読取装置に，マイクロ波の照射を開始する際に圧板２４２を開くことができないようにロックするロック機構を設けることにより，ユーザが誤って圧板２４２を開いてしまった場合に，マイクロ波がユーザに直接照射されるということを防止することができる。
【００９７】
また，実施の形態１〜５の特殊原稿判定装置では，装置の前後および左右の方向にマイクロ波を照射し，また，装置の上から下の方向へマイクロ波を出力する構成となっている。このような方向にマイクロ波の出力方向を限定したのは，ユーザにマイクロ波を照射しないようにするためである。したがって，原稿がいかなる形態で載置されようと，上記方向にマイクロ波の出力方向を限定することにより，ユーザにマイクロ波を照射しないようにすることができる。ただし，装置の前後および左右の方向並びに装置の上から下の方向としたのは，あくまで装置の下方から上方に向けてマイクロ波を出力し，ユーザにマイクロ波が照射される可能性の高い状態にしないという意味であって，これらの方向にマイクロ波の出力方向を限定するものではない。
【００９８】
【発明の効果】
以上説明したように，本発明に係る特殊原稿判定装置（請求項１）によれば，判定対象となる原稿にマイクロ波を照射し，前記照射したマイクロ波の透過波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，前記原稿に対してマイクロ波を出力して，前記原稿にマイクロ波を照射するマイクロ波出力手段と，前記特殊原稿判定装置の近傍に人間が存在するか否かを判定し，前記特殊原稿判定装置の近傍に人間が存在する場合に，人間が存在する方向の情報を出力する人体判定手段と，前記人体判定手段で前記特殊原稿判定装置の近傍に人間が存在すると判定された場合に，前記人体判定手段によって出力された人間が存在する方向の情報に基づいて，人間が存在する方向にマイクロ波を出力しないように前記マイクロ波出力手段を制御する制御手段と，を備えるため，マイクロ波がユーザに照射されることがないようにし，ユーザに対する安全性を確保することができる。
【００９９】
また，本発明に係る特殊原稿判定装置（請求項２）によれば，請求項１に記載の特殊原稿判定装置において，前記マイクロ波出力手段は，前記原稿を横断または縦断する方向のみに対してマイクロ波を出力し，前記制御手段は，前記記人体判定手段で前記特殊原稿判定装置の近傍に人間が存在すると判定された場合に，前記人体判定手段によって出力された人間が存在する方向の情報に基づいて，人間が存在する方向以外の方向であって，かつ前記原稿を横断または縦断する方向にのみマイクロ波を出力するように前記マイクロ波出力手段を制御するため，マイクロ波がユーザに照射されることがないようにし，ユーザに対する安全性を確保することができる。
【０１００】
また，本発明に係る特殊原稿判定装置（請求項３）によれば，請求項２に記載の特殊原稿判定装置において，さらに，前記マイクロ波出力手段から出力されたマイクロ波を受信するマイクロ波受信手段を備え，前記原稿を横断または縦断する方向が，前記マイクロ波受信手段の位置する方向であるため，マイクロ波がユーザに照射されることがないようにし，ユーザに対する安全性を確保することができる。
【０１０１】
また，本発明に係る特殊原稿判定装置（請求項４）によれば，請求項２〜３のいずれか一つに記載の特殊原稿判定装置において，さらに，各種モードの入力およびメッセージの表示等を行うための操作パネルを備え，原稿を横断または縦断する方向が，操作パネルの位置する方向以外の方向であるため，マイクロ波がユーザに照射されることがないようにし，ユーザに対する安全性を確保することができる。
【０１０２】
また，本発明に係る特殊原稿判定装置（請求項５）によれば，請求項２〜４のいずれか一つに記載の特殊原稿判定装置において，さらに，原稿を載置する原稿載置台を備え，原稿を横断または縦断する方向が，原稿載置台に対して平行な方向であるため，マイクロ波がユーザに照射されることがないようにし，ユーザに対する安全性を確保することができる。
【図面の簡単な説明】
【図１】実施の形態１の特殊原稿判定装置が適用された画像読取装置の概略構成を示す斜視図（図１（ａ））および斜視図中の線Ａ−Ａについての断面図（図１（ｂ））である。
【図２】図１（ａ）および図１（ｂ）に示す画像読取装置に適用された特殊原稿判定装置のブロック構成図である。
【図３】実施の形態２の特殊原稿判定装置が適用された画像読取装置の概略構成を示す斜視図（図３（ａ））および斜視図中の線Ｂ−Ｂについての断面図（図３（ｂ））である。
【図４】実施の形態３の特殊原稿判定装置が適用された画像読取装置の概略構成を示す斜視図（図４（ａ））および斜視図中の線Ｃ−Ｃについての断面図（図４（ｂ））である。
【図５】実施の形態４の特殊原稿判定装置が適用された画像読取装置の概略構成を示す斜視図（図５（ａ））および斜視図中の線Ｄ−Ｄについての断面図（図５（ｂ））である。
【図６】実施の形態５の特殊原稿判定装置が適用された画像読取装置の概略構成を示す斜視図（図６（ａ）），斜視図中の線Ｅ−Ｅについての断面図（図６（ｂ））および斜視図中の線Ｆ−Ｆ（図６（ｃ））についての断面図である。
【図７】図６（ａ），図６（ｂ）および図６（ｃ）に示す画像読取装置に適用された特殊原稿判定装置のブロック構成図である。
【図８】実施の形態６において，画像読取装置に適用された特殊原稿判定装置のブロック構成図である。
【図９】実施の形態６の特殊原稿判定装置が適用された画像読取装置の動作を示すフローチャートである。
【図１０】実施の形態７において，画像読取装置に適用された特殊原稿判定装置のブロック構成図である。
【図１１】実施の形態７の特殊原稿判定装置が適用された画像読取装置の動作を示すフローチャートである。
【図１２】実施の形態８において，画像読取装置に適用された特殊原稿判定装置のブロック構成図である。
【図１３】実施の形態８の特殊原稿判定装置が適用された画像読取装置の動作を示すフローチャートである。
【符号の説明】
６１，６１ａ，６１ｂ      マイクロ波送信装置
６２，６２ａ，６２ｂ      マイクロ波受信装置
６３      特殊原稿判定部
６４      制御装置
６５      人体検出装置
６６      圧板開放検出装置
２４０    画像読取装置本体
２４１    コンタクトガラス
２４２    圧板
２４３    原稿
【図１】
0003691605.tif 000002
【図２】
0003691605.tif 000003
【図３】
0003691605.tif 000004
【図４】
0003691605.tif 000005
【図５】
0003691605.tif 000006
【図６】
0003691605.tif 000007
【図７】
0003691605.tif 000008
【図８】
0003691605.tif 000009
【図９】
0003691605.tif 000010
【図１０】
0003691605.tif 000011
【図１１】
0003691605.tif 000012
【図１２】
0003691605.tif 000013
【図１３】
0003691605.tif 000014